(57)【要約】【課題】動画像表示性能向上のために１フレームにおけるバックライトの点灯時間を制限する場合、１フレーム周期で点滅しているため、特に静止画の場合にはフリッカーが目立つという課題があった。【解決手段】動画・静止画を検出する動画検出手段と、１／ｎフレーム周期のＰＷＭパルスを発生する輝度ＰＷＭ発生手段と、１フレーム周期のＰＷＭパルスを発生する黒挿入ＰＷＭ発生手段と、輝度ＰＷＭ発生手段と黒挿入ＰＷＭ発生手段の積をとる第一のＡＮＤ回路と、第一のＡＮＤ回路の出力のＬｏ期間をカウントし、Ｌｏ期間が設定値以上の場合にＨｉを出力するＨｉ期間保護手段と、第一のＡＮＤ回路の出力のＨｉ期間をカウントし、Ｈｉ期間が設定値以上の場合にＬｏを出力するＬｏ期間保護手段と、第一のＡＮＤ回路の出力とＨｉ期間保護手段の出力の和をとる第一のＯＲ回路と、第一のＯＲ回路とＬｏ期間保護手段の積をとる第二のＡＮＤ回路とを備える。【選択図】図６
2009265151.tif 000002
【特許請求の範囲】
【請求項１】
映像信号が動画であるか静止画であるかを検出する動画検出手段と、
１／ｎフレーム周期のＰＷＭパルスを発生する輝度ＰＷＭ発生手段と、
前記動画検出手段の出力に応じて輝度ＰＷＭパルスのＤＵＴＹを変化させる輝度ＰＷＭ制御手段と、
１フレーム周期の所定期間ＬｏのＰＷＭパルスを発生する黒挿入ＰＷＭ発生手段と、
前記動画検出手段の出力に応じて黒挿入ＰＷＭパルスのＤＵＴＹを変化させる黒挿入ＰＷＭ制御手段と、
前記輝度ＰＷＭ発生手段の出力と黒挿入ＰＷＭ発生手段の積をとるＡＮＤ回路とを備える映像表示装置。
【請求項２】
ＰＷＭパルスの１フレーム期間のＬｏ期間をカウントするＬｏ期間カウント手段と、
１フレーム期間中のＬｏ期間の上限値を設定するＬｏ期間上限値設定手段と、
前記Ｌｏ期間カウンタの出力と前記Ｌｏ期間上限値設定手段の出力との値を比較する第一の比較器と、
前記ＰＷＭパルス発生手段の出力と前記第一の比較器の出力の和をとる第一のＯＲ回路とを備えるＰＷＭパルス発生装置。
【請求項３】
ＰＷＭパルスの１フレーム期間のＨｉ期間をカウントするＨｉ期間カウント手段と、
１フレーム期間中のＨｉ期間の上限値を設定するＨｉ期間上限値設定手段と、
前記Ｈｉ期間カウンタの出力と前記Ｈｉ期間上限値設定手段の出力との値を比較する第二の比較器と、
前記ＰＷＭパルス発生手段の出力と前記第二の比較器の出力の積をとる第二のＡＮＤ回路とを備えることを特徴とするＰＷＭパルス発生装置。
【請求項４】
所定のＤＵＴＹ比のＰＷＭパルスを発生するＰＷＭパルス発生装置であって、
ＰＷＭパルスの１フレーム期間のＬｏ期間をカウントするＬｏ期間カウント手段と、
１フレーム期間中のＬｏ期間の上限値を設定するＬｏ期間上限値設定手段と、
前記Ｌｏ期間カウンタの出力と前記Ｌｏ期間上限値設定手段の出力との値を比較する第一の比較器と、
前記ＰＷＭパルス発生手段の出力と前記第一の比較器の出力の和をとる第一のＯＲ回路と、
１フレーム期間をカウントするＶ期間カウント手段と、
前記Ｖ期間カウント手段の出力と、前記Ｌｏ期間カウント手段の出力の差を演算する第一の減算回路と、
前記Ｖ期間カウント手段の出力と、前記Ｌｏ期間上限値設定手段の出力の差を演算する第二の減算回路と、
前記第一の減算回路の出力と前記第二の減算回路の出力を比較する第三の比較器と、
前記ＡＮＤ回路の出力と前記比較器の出力の積をとる第三のＡＮＤ回路とを備えるＰＷＭパルス発生装置。
【請求項５】
ＰＷＭパルスの１フレーム期間のＨｉ期間をカウントするＨｉ期間カウント手段と、
１フレーム期間中のＨｉ期間の上限値を設定するＨｉ期間上限値設定手段と、
前記Ｈｉ期間カウンタの出力と前記Ｈｉ期間上限値設定手段の出力との値を比較する第二の比較器と、
１フレーム期間をカウントするＶ期間カウント手段と、
前記Ｖ期間カウント手段の出力と、前記Ｈｉ期間カウント手段の出力の差を演算する第三の減算回路と、
前記Ｖ期間カウント手段の出力と、前記Ｈｉ期間上限値設定手段の出力の差を演算する第四の減算回路と、
前記第三の減算回路の出力と前記第四の減算回路の出力を比較する第四の比較器と、
前記ＰＷＭパルス発生手段の出力と第四の比較器の和をとる第二のＯＲ回路と、
前記第二のＯＲ回路の出力と前記第二の比較器の出力の積をとる第二のＡＮＤ回路とを備えるＰＷＭパルス発生装置。
【請求項６】
映像信号が動画であるか静止画であるかを検出する動画検出手段と、
１／ｎフレーム周期のＰＷＭパルスを発生する輝度ＰＷＭ発生手段と、
前記動画検出手段の出力に応じて輝度ＰＷＭパルスのＤＵＴＹを変化させる輝度ＰＷＭ制御手段と、
１フレーム周期の所定期間ＬｏのＰＷＭパルスを発生する黒挿入ＰＷＭ発生手段と、
前記動画検出手段の出力に応じて黒挿入ＰＷＭパルスのＤＵＴＹを変化させる黒挿入ＰＷＭ制御手段と、
前記輝度ＰＷＭ発生手段の出力と前記黒挿入ＰＷＭ発生手段の積をとる第一のＡＮＤ回路と、
前記第一のＡＮＤ回路の出力のＬｏ期間をカウントし、Ｌｏ期間が設定値以上の場合にＨｉを出力するＨｉ期間保護手段と、
前記第一のＡＮＤ回路の出力のＨｉ期間をカウントし、Ｈｉ期間が設定値以上の場合にＬｏを出力するＬｏ期間保護手段と、
前記第一のＡＮＤ回路の出力と前記Ｈｉ期間保護手段の出力の和をとる第一のＯＲ回路と、
前記第一のＯＲ回路と前記Ｌｏ期間保護手段の出力の積をとる第二のＡＮＤ回路とを備える映像表示装置。
【発明の詳細な説明】
【技術分野】
【０００１】
本発明は映像表示装置に係り、特に、液晶表示パネル及び液晶表示パネルの背面に配置されるバックライトとから構成される液晶表示装置に関する。
【背景技術】
【０００２】
従来の液晶表示装置に関する技術として、バックライトを常時点灯することによる動画像表示性能の低下を防止するため、１フレームにおけるバックライトの点灯時間を制限する技術が提案されている。具体的には、信号書き込み時間を短縮することにより垂直同期の前半部においてバックライトを消灯した状態にてデータ信号線に表示信号を書き込み、表示信号の書き込みが終了した後半部にてバックライトを点灯するという技術が提案されている。
【特許文献１】特開２００２−２８７７００号公報
【発明の開示】
【発明が解決しようとする課題】
【０００３】
動画像表示性能向上のために１フレームにおけるバックライトの点灯時間を制限する従来技術ではバックライトが１フレーム周期で点滅しているため、特に静止画の場合にはフリッカーが目立つという課題があった。
【０００４】
また、動画／静止画に応じて黒挿入ＰＷＭ／輝度ＰＷＭに切り替える方法では、輝度ＰＷＭと黒挿入ＰＷＭの干渉により、１フレーム期間の点灯時間に変化が生じ、フリッカーが発生するという課題があった。
【０００５】
本発明の目的は、表示する動画／静止画のフリッカーを抑制する液晶表示装置を提供することにある。
【課題を解決するための手段】
【０００６】
第１の発明に係る映像表示装置は、映像信号が動画であるか静止画であるかを検出する動画検出手段と、１／ｎフレーム周期のＰＷＭパルスを発生する輝度ＰＷＭ発生手段と、前記動画検出手段の出力に応じて輝度ＰＷＭパルスのＤＵＴＹを変化させる輝度ＰＷＭ制御手段と、１フレーム周期の所定期間ＬｏのＰＷＭパルスを発生する黒挿入ＰＷＭ発生手段と、前記動画検出手段の出力に応じて黒挿入ＰＷＭパルスのＤＵＴＹを変化させる黒挿入ＰＷＭ制御手段と、前記輝度ＰＷＭ発生手段の出力と黒挿入ＰＷＭ発生手段の積をとるＡＮＤ回路とを備え、前記輝度ＰＷＭ発生手段は、映像信号が動画である場合にはＤＵＴＹ比が１００％のＰＷＭパルスを出力し、前記黒挿入ＰＷＭ発生手段は、映像信号が静止画である場合にはＤＵＴＹ比が１００％のＰＷＭパルスを出力し、前記動画検出手段で検出する動画または静止画が切り換った場合に、前記輝度ＰＷＭ発生手段の出力のＰＷＭパルスのＤＵＴＹ比と前記黒挿入ＰＷＭ発生手段の出力のＰＷＭパルスのＤＵＴＹ比を徐々に変化させることを特徴とする。
【０００７】
第２の発明に係るＰＷＭ発生装置は、ＰＷＭパルスを発生するＰＷＭパルス発生手段と、ＰＷＭパルスの１フレーム期間のＬｏ期間をカウントするＬｏ期間カウント手段と、１フレーム期間中のＬｏ期間の上限値を設定するＬｏ期間上限値設定手段と、前記Ｌｏ期間カウンタの出力と前記Ｌｏ期間上限値設定手段の出力との値を比較する第一の比較器と、前記ＰＷＭパルス発生手段の出力と前記第一の比較器の出力の和をとる第一のＯＲ回路とを備え、１フレーム期間のＰＷＭパルスが設定期間より長い期間Ｌｏになった場合にＰＷＭパルスをＨｉにすることを特徴とする。
【０００８】
第３の発明に係るＰＷＭ発生装置は、ＰＷＭパルスを発生するＰＷＭパルス発生手段と、ＰＷＭパルスの１フレーム期間のＨｉ期間をカウントするＨｉ期間カウント手段と、１フレーム期間中のＨｉ期間の上限値を設定するＨｉ期間上限値設定手段と、前記Ｈｉ期間カウンタの出力と前記Ｈｉ期間上限値設定手段の出力との値を比較する第二の比較器と、前記ＰＷＭパルス発生手段の出力と前記第二の比較器の出力の積をとる第二のＡＮＤ回路とを備え、１フレーム期間のＰＷＭパルスが設定期間より長い期間Ｈｉになった場合にＰＷＭパルスをＬｏにすることを特徴とする。
【０００９】
第４の発明に係るＰＷＭ発生装置は、ＰＷＭパルスを発生するＰＷＭパルス発生手段と、ＰＷＭパルスの１フレーム期間のＬｏ期間をカウントするＬｏ期間カウント手段と、１フレーム期間中のＬｏ期間の上限値を設定するＬｏ期間上限値設定手段と、前記Ｌｏ期間カウンタの出力と前記Ｌｏ期間上限値設定手段の出力との値を比較する第一の比較器と、前記ＰＷＭパルス発生手段の出力と前記第一の比較器の出力の和をとる第一のＯＲ回路と、１フレーム期間をカウントするＶ期間カウント手段と、前記Ｖ期間カウント手段の出力と、前記Ｌｏ期間カウント手段の出力の差を演算する第一の減算回路と、前記Ｖ期間カウント手段の出力と、前記Ｌｏ期間上限値設定手段の出力の差を演算する第二の減算回路と、前記第一の減算回路の出力と前記第二の減算回路の出力を比較する第三の比較器と、前記ＡＮＤ回路の出力と前記比較器の出力の積をとる第三のＡＮＤ回路とを備え、１フレーム期間におけるＰＷＭパルスのＤＵＴＹを一定に保つことを特徴とする。
【００１０】
第５の発明に係るＰＷＭ発生装置は、ＰＷＭパルスの１フレーム期間のＨｉ期間をカウントするＨｉ期間カウント手段と、１フレーム期間中のＨｉ期間の上限値を設定するＨｉ期間上限値設定手段と、前記Ｈｉ期間カウンタの出力と前記Ｈｉ期間上限値設定手段の出力との値を比較する第二の比較器と、１フレーム期間をカウントするＶ期間カウント手段と、前記Ｖ期間カウント手段の出力と、前記Ｈｉ期間カウント手段の出力の差を演算する第三の減算回路と、前記Ｖ期間カウント手段の出力と、前記Ｈｉ期間上限値設定手段の出力の差を演算する第四の減算回路と、前記第三の減算回路の出力と前記第四の減算回路の出力を比較する第四の比較器と、前記ＰＷＭパルス発生手段の出力と第四の比較器の和をとる第二のＯＲ回路と、前記第二のＯＲ回路の出力と前記第二の比較器の出力の積をとる第二のＡＮＤ回路とを備え、１フレーム期間におけるＰＷＭパルスのＤＵＴＹを一定に保つことを特徴とする。
【００１１】
第６の発明に係る映像表示装置は、映像信号が動画であるか静止画であるかを検出する動画検出手段と、１／ｎフレーム周期のＰＷＭパルスを発生する輝度ＰＷＭ発生手段と前記動画検出手段の出力に応じて輝度ＰＷＭパルスのＤＵＴＹを変化させる輝度ＰＷＭ制御手段と、１フレーム周期の所定期間ＬｏのＰＷＭパルスを発生する黒挿入ＰＷＭ発生手段と、前記動画検出手段の出力に応じて黒挿入ＰＷＭパルスのＤＵＴＹを変化させる黒挿入ＰＷＭ制御手段と、前記輝度ＰＷＭ発生手段の出力と黒挿入ＰＷＭ発生手段の積をとる第一のＡＮＤ回路と、第一のＡＮＤ回路の出力の１フレーム期間のＬｏ期間をカウントするＬｏ期間カウント手段と、１フレーム期間中のＬｏ期間の上限値を設定するＬｏ期間上限値設定手段と、前記Ｌｏ期間カウンタの出力と前記Ｌｏ期間上限値設定手段の出力との値を比較する第一の比較器と、前記ＰＷＭパルス発生手段の出力と前記第一の比較器の出力の和をとる第一のＯＲ回路と、第一のＡＮＤ回路の出力の１フレーム期間のＨｉ期間をカウントするＨｉ期間カウント手段と、１フレーム期間中のＨｉ期間の上限値を設定するＨｉ期間上限値設定手段と、前記Ｈｉ期間カウンタの出力と前記Ｈｉ期間上限値設定手段の出力との値を比較する第二の比較器とを備え、前記輝度ＰＷＭ発生手段は、映像信号が動画である場合にはＤＵＴＹ比が１００％のＰＷＭパルスを出力し、前記黒挿入ＰＷＭ発生手段は、映像信号が静止画である場合にはＤＵＴＹ比が１００％のＰＷＭパルスを出力し、前記動画検出手段で検出する動画または静止画が切り換った場合に、ＰＷＭパルスのＤＵＴＹを一定に保ちながら、前記輝度ＰＷＭ発生手段の出力のＰＷＭパルスのＤＵＴＹ比と前記黒挿入ＰＷＭ発生手段の出力のＰＷＭパルスのＤＵＴＹ比を徐々に変化させることを特徴とする。
【発明の効果】
【００１２】
本発明によれば、液晶表示装置に映像が表示される際に、フリッカーを抑制することができる。
【発明を実施するための最良の形態】
【００１３】
以下本発明を実施するための最良の形態について、図面を参照しながら説明する。
【００１４】
（実施の形態１）
図１は第１の発明の一実施の形態による映像信号表示装置の構成ブロック図である。
【００１５】
動画検出手段１０は入力された映像信号が動画であるか静止画であるかを検出する。動画である場合はＨｉを出力し、静止画である場合はＬｏを出力する。動画検出の手法としては例えば、前後のフレームについて画素ごとに差分を計算し、差分の累積和の値を比較する。累積和の値が所定の値より大きければ動画と判断し、累積和の値が所定の値より小さければ静止画と判断する。
【００１６】
輝度ＰＷＭ制御手段１１は、動画検出手段１０の出力に応じて、後述する輝度ＰＷＭ発生手段１３が出力する輝度ＰＷＭパルスのＤＵＴＹを制御する。映像信号が動画である場合には輝度ＰＷＭパルスのＤＵＴＹ比が１００％になるように輝度ＰＷＭ発生手段１３を制御する。映像信号が静止画である場合には輝度ＰＷＭパルスのＤＵＴＹ比が所定の値になるように輝度ＰＷＭ発生手段１３を制御する。
【００１７】
輝度ＰＷＭ発生手段１３は、輝度ＰＷＭ制御手段１１の出力に応じた１／ｎフレーム周期の輝度ＰＷＭパルスを発生する。ここで、ｎは自然数である。
【００１８】
黒挿入ＰＷＭ制御手段１２は、前記動画検出手段１０の出力に応じて、後述する黒挿入ＰＷＭ発生手段１４が出力する黒挿入ＰＷＭパルスのＤＵＴＹを制御する。映像信号が静止画である場合には黒挿入ＰＷＭパルスのＤＵＴＹ比が１００％になるように黒挿入ＰＷＭ発生手段１４を制御する。映像信号が動画である場合には黒挿入ＰＷＭパルスのＤＵＴＹ比が所定の値になるように黒挿入ＰＷＭ発生手段１４を制御する。
【００１９】
黒挿入ＰＷＭ発生手段１４は、黒挿入ＰＷＭ制御手段１２の出力に応じた１フレーム周期の輝度ＰＷＭパルスを発生する。
【００２０】
第一のＡＮＤ回路１５は輝度ＰＷＭパルスと黒挿入ＰＷＭパルスの積をとる。
【００２１】
図７は本発明によるバックライトの点滅の一実施例を示すタイミングチャートである。
【００２２】
ｉは垂直同期信号である。ｉｉは輝度ＰＷＭ信号である。ｉｉｉは黒挿入信号である。ｉｖは輝度ＰＷＭ信号と黒挿入信号の積からなるバックライト制御信号である。
【００２３】
静止画の場合は、ｉｖのバックライト制御信号はｉｉの輝度ＰＷＭ信号と等しく、また動画の場合にはｉｖのバックライト制御信号はｉｉｉの黒挿入信号と一致する。
【００２４】
静止画から動画へ切り替わった場合には、ｉｉの輝度ＰＷＭ信号のＤＵＴＹ比を一定の割合で増加させながら所定のＤＵＴＹ比からＤＵＴＹ比１００％に、黒挿入信号のＤＵＴＹ比を一定の割合で減少させながらＤＵＴＹ比１００％から、所定のＤＵＴＹ比に制御する。
【００２５】
また、動画から静止画へ切り替わった場合には、ｉｉの輝度ＰＷＭ信号のＤＵＴＹ比を一定の割合で増加させながらＤＵＴＹ比１００％から、所定のＤＵＴＹに、黒挿入信号のＤＵＴＹ比を一定の割合で減少させながら比所定のＤＵＴＹ比からＤＵＴＹ比１００％に制御する。
【００２６】
本発明によれば、動画検出手段で検出する動画または静止画が切り換った場合に、前記輝度ＰＷＭ発生手段の出力のＰＷＭパルスのＤＵＴＹ比と前記黒挿入ＰＷＭ発生手段の出力のＰＷＭパルスのＤＵＴＹ比を徐々に変化させることで、入力される映像信号に応じて黒挿入による動画改善効果と、静止画でのフリッカー抑制の両方の効果を得ることができる。
【００２７】
（実施の形態２）
図２は第２の発明の一実施の形態によるＰＷＭパルス発生装置の構成ブロック図である。
【００２８】
ＰＷＭパルス発生手段２２は所定のＤＵＴＹ比のＰＷＭパルスを発生する。
【００２９】
Ｌｏ期間カウント手段１６１は入力Ｖ同期信号に同期して前記ＰＷＭパルス発生手段の出力の１フレーム期間におけるＬｏ期間をカウントし、その値を出力する。
【００３０】
Ｌｏ期間上限値設定手段１６２は前記ＰＷＭパルス発生手段の出力の１フレーム期間において許容されるＬｏ期間の総和を設定する。
【００３１】
第一の比較器１６３は前記Ｌｏ期間カウンタの出力が前記Ｌｏ期間上限値設定手段の出力より大きい場合はＨｉを出力し、前記Ｌｏ期間カウンタの出力が前記Ｌｏ期間上限値設定手段の出力より小さい場合はＬｏを出力する。
【００３２】
第一のＯＲ回路１８は前記ＰＷＭパルス発生手段の出力と前記第一の比較器の出力の和をとる。
【００３３】
本発明によれば、１フレーム期間においてＰＷＭパルスのＨｉ期間が設定以下になることを防ぐことができる。
【００３４】
（実施の形態３）
図３は第３の発明の一実施の形態によるＰＷＭパルス発生装置の構成ブロック図である。
【００３５】
ＰＷＭパルス発生手段２２は所定のＤＵＴＹ比のＰＷＭパルスを発生する。
【００３６】
Ｈｉ期間カウント手段１７１は入力Ｖ同期信号に同期して前記ＰＷＭパルス発生手段の出力の１フレーム期間におけるＨｉ期間をカウントし、その値を出力する。
【００３７】
Ｈｉ期間上限値設定手段１７２は前記ＰＷＭパルス発生手段の出力の１フレーム期間において許容されるＨｉ期間の総和を設定する。
【００３８】
第二の比較器１７３は前記Ｈｉ期間カウンタの出力が前記Ｈｉ期間上限値設定手段の出力より大きい場合はＬｏを出力し、前記Ｈｉ期間カウンタの出力が前記Ｈｉ期間上限値設定手段の出力より小さい場合はＨｉを出力する。
【００３９】
第二のＡＮＤ回路１９は前記ＰＷＭパルス発生手段の出力と前記第二の比較器の出力の和をとる。
【００４０】
本発明によれば、１フレーム期間においてＰＷＭパルスのＬｏ期間が設定以下になることを防ぐことができる。
【００４１】
（実施の形態４）
図４は第４の発明の一実施の形態によるＰＷＭパルス発生装置の構成ブロック図である。
【００４２】
ＰＷＭパルス発生手段２２は所定のＤＵＴＹ比のＰＷＭパルスを発生する。
【００４３】
Ｌｏ期間カウント手段１６１は入力Ｖ同期信号に同期して前記ＰＷＭパルス発生手段の出力のＬｏ期間をカウントし、その値を出力する。
【００４４】
Ｌｏ期間上限値設定手段１６２は前記ＰＷＭパルス発生手段の出力の１フレーム期間におけるＬｏ期間の上限値を設定する。
【００４５】
第一の比較器１６３は前記Ｌｏ期間カウンタの出力が前記Ｌｏ期間上限値設定手段の出力より大きい場合はＨｉを出力し、前記Ｌｏ期間カウンタの出力が前記Ｌｏ期間上限値設定手段の出力より小さい場合はＬｏを出力する。
【００４６】
第一のＯＲ回路１８は前記ＰＷＭパルス発生手段の出力と前記第一の比較器の出力の和をとる。
【００４７】
Ｖ期間カウント手段２３は１フレーム期間のＣＬＫ数をカウントし、その値を出力する。
【００４８】
第一の減算回路２４は前記Ｖ期間カウント手段の出力と、前記Ｌｏ期間カウント手段の出力の差を演算する。
【００４９】
第二の減算回路２５は前記Ｖ期間カウント手段の出力と、前記Ｌｏ期間上限値設定手段の出力の差を演算する。
【００５０】
第三の比較器２６は前記第一の減算回路の出力と前記第二の減算回路の出力を比較し、前記第一の減算回路の出力が前記第二の減算回路の出力より大きい場合はＬｏを出力し、前記第一の減算回路の出力が前記第二の減算回路の出力より小さい場合はＨｉを出力する。
【００５１】
第三のＡＮＤ回路２６は前記第三のＡＮＤ回路の出力と前記第一のＯＲ回路の出力の積をとる。
【００５２】
本発明によれば１フレーム期間においてＰＷＭパルスのＤＵＴＹを一定に保つことができ、フリッカーを抑制することができる。
【００５３】
（実施の形態５）
図５は第５の発明の一実施の形態によるＰＷＭパルス発生装置の構成ブロック図である。
【００５４】
ＰＷＭパルス発生手段２２は所定のＤＵＴＹ比のＰＷＭパルスを発生する。
【００５５】
Ｈｉ期間カウント手段１７１は入力Ｖ同期信号に同期してＰＷＭパルスのＨｉ期間をカウントし、その値を出力する。
【００５６】
Ｈｉ期間上限値設定手段１７２は１フレーム期間中のＨｉ期間の上限値を設定する。
【００５７】
第二の比較器１７３は前記Ｈｉ期間カウンタの出力と前記Ｈｉ期間上限値設定手段の出力との値を比較し、前記Ｈｉ期間カウンタの出力が前記Ｈｉ期間上限値設定手段の出力より大きい場合にＬｏを出力し、前記Ｈｉ期間カウンタの出力が前記Ｈｉ期間上限値設定手段の出力より小さい場合にＨｉを出力する。
【００５８】
Ｖ期間カウント手段２３は１フレーム期間のＣＬＫ数をカウントし、その値を出力する。
【００５９】
第三の減算回路２８は前記Ｖ期間カウント手段の出力と、前記Ｈｉ期間カウント手段の出力の差を演算する。
【００６０】
第四の減算回路２９は前記Ｖ期間カウント手段の出力と、前記Ｈｉ期間上限値設定手段の出力の差を演算する。
【００６１】
第四の比較器３０は前記第三の減算回路の出力と前記第四の減算回路の出力を比較し、前記第三の減算回路の出力が前記第四の減算回路の出力より大きい場合にＨｉを出力し、前記第三の減算回路の出力が前記第四の減算回路の出力より小さい場合にＬｏを出力する。
【００６２】
第二のＯＲ回路３１は前記ＰＷＭパルス発生手段の出力と第四の比較器の和をとる。
【００６３】
第四のＡＮＤ回路は前記第二のＯＲ回路の出力と前記第二の比較器の出力の積をとる。
【００６４】
本発明によれば１フレーム期間においてＰＷＭパルスのＤＵＴＹを一定に保つことができ、フリッカーを抑制することができる。
【００６５】
（実施の形態６）
図６は第６の発明の一実施の形態による映像信号表示装置の構成ブロック図である。
【００６６】
動画検出手段１０は入力された映像信号が動画であるか静止画であるかを検出し、動画である場合はＨｉを出力し、静止画である場合はＬｏを出力する。
【００６７】
輝度ＰＷＭ制御手段１１は、前記動画検出手段の出力に応じて映像信号が動画である場合にはＤＵＴＹ比が１００％になるように、映像信号が静止画である場合にはＤＵＴＹ比が所定の値になるように輝度ＰＷＭパルスのＤＵＴＹを制御する。
【００６８】
輝度ＰＷＭ発生手段１３は、前記輝度ＰＷＭ制御手段の出力に応じた１／ｎフレーム周期の輝度ＰＷＭを発生する。
【００６９】
黒挿入ＰＷＭ制御手段１２は、前記動画検出手段の出力に応じて映像信号が静止画である場合にはＤＵＴＹ比が１００％になるように、映像信号が動画である場合にはＤＵＴＹ比が所定の値になるように黒挿入ＰＷＭパルスのＤＵＴＹを制御する。
【００７０】
黒挿入ＰＷＭ発生手段１４は、前記黒挿入ＰＷＭ制御手段の出力に応じた１フレーム周期の輝度ＰＷＭを発生する。
【００７１】
第一のＡＮＤ回路１５は前記輝度ＰＷＭ発生手段の出力と黒挿入ＰＷＭ発生手段の出力積をとる。
【００７２】
バックライト２０は前記第一のＡＮＤ回路の出力ＰＷＭパルスに応じて点滅を行う。
【００７３】
映像表示装置２１は前記バックライトを光源として映像信号を表示する。
【００７４】
Ｈｉ期間保護手段１６は、前記第一のＡＮＤ回路の出力の１フレーム周期期間のＬｏ期間をカウントするＬｏ期間カウンタ１６１と、Ｌｏ期間の上限値を設定するＬｏ期間上限値設定手段１６２と、前記Ｌｏ期間カウンタの出力が前記Ｌｏ期間上限値設定手段の出力より大きい場合にＨｉを出力する第一の比較器１６３から構成さている。
【００７５】
Ｌｏ期間保護手段１７は、前記第一のＡＮＤ回路の出力の１フレーム周期期間のＨｉ期間をカウントするＨｉ期間カウンタ１７１と、Ｈｉ期間の上限値を設定するＨｉ期間上限値設定手段１７２と、前記Ｈｉ期間カウンタの出力が前記Ｈｉ期間上限値設定手段の出力より大きい場合にＬｏを出力する第二の比較器１７３から構成さている。
【００７６】
第一のＯＲ回路１８は前記第一のＡＮＤ回路の出力と前記Ｈｉ期間保護手段の出力の和をとる。
【００７７】
第二のＡＮＤ回路１９は前記第一のＯＲ回路の出力と前記Ｌｏ期間保護手段の出力の積をとる。
【００７８】
バックライト２０は前記ＡＮＤ回路の出力ＰＷＭパルスに応じて点滅を行う。
【００７９】
映像表示装置２１は前記バックライトを光源として映像信号を表示する。
【００８０】
本発明によれば、前記輝度ＰＷＭ発生手段の出力のＰＷＭパルスのＤＵＴＹ比と前記黒挿入ＰＷＭ発生手段の出力のＰＷＭパルスのＤＵＴＹ比を徐々に変化させる場合に、バックライトのＤＵＴＹ比を一定に保つことができ、動画と静止画の切り替わりにおけるフリッカーを抑制することができる。
【産業上の利用可能性】
【００８１】
本発明にかかる映像信号表示装置は、入力される映像信号に応じて黒挿入による動画改善効果と、静止画でのフリッカー抑制の両方の効果を得ることができ、また、輝度ＰＷＭのＤＵＴＹと黒挿入ＰＷＭのＤＵＴＹが変化する場合において、バックライトのＤＵＴＹが一定であるため、フリッカーを抑制することが可能となるものであり、映像信号表示装置において有用である。
【図面の簡単な説明】
【００８２】
【図１】本発明の実施の形態１における映像信号表示装置の構成を示すブロック図
【図２】本発明の実施の形態２におけるＰＷＭ発生装置の構成を示すブロック図
【図３】本発明の実施の形態３におけるＰＷＭ発生装置の構成を示すブロック図
【図４】本発明の実施の形態４におけるＰＷＭ発生装置の構成を示すブロック図
【図５】本発明の実施の形態５におけるＰＷＭ発生装置の構成を示すブロック図
【図６】本発明の実施の形態６における映像信号表示装置の構成を示すブロック図
【図７】本発明によるバックライトの点滅の一実施例を示すタイミングチャート
【符号の説明】
【００８３】
１０    動画検出手段
１１    輝度ＰＷＭ制御手段
１２    黒挿入ＰＷＭ制御手段
１３    輝度ＰＷＭ発生手段
１４    黒挿入ＰＷＭ発生手段
１５    第一のＡＮＤ回路
１６    Ｈｉ期間保護手段
１６１    Ｌｏ期間カウンタ
１６２    Ｌｏ期間上限値設定手段
１６３    第一の比較器
１７    Ｌｏ期間保護手段
１７１    Ｈｉ期間カウンタ
１７２    Ｈｉ期間上限値設定手段
１７３    第二の比較器
１８    第一のＯＲ回路
１９    第二のＡＮＤ回路
２０    バックライト
２１    映像表示装置
２２    ＰＷＭ発生手段
２３    Ｖ期間カウント手段
２４    第一の減算回路
２５    第二の減算回路
２６    第三の比較器
２７    第三のＡＮＤ回路
２８    第三の減算回路
２９    第四の減算回路
３０    第四の比較器
３１    第二のＯＲ回路
３２    第四のＡＮＤ回路
【図１】
2009265151.tif 000003
【図２】
2009265151.tif 000004
【図３】
2009265151.tif 000005
【図４】
2009265151.tif 000006
【図５】
2009265151.tif 000007
【図６】
2009265151.tif 000008
【図７】
2009265151.tif 000009